(57)【要約】【課題】赤外カットフィルタやコーティングレンズを用いず、印画紙の原稿を読み取りでの原稿の再現性確保を低コストに実現する。【解決手段】画像読取装置は、光源と、赤外光を反射する原稿の読取を対象とした印画紙モードの選択入力を受け付ける入力部と、読取対象を読み取るイメージセンサと、赤外光を反射しない白基準板と、印画紙モード以外のモードでは、白基準板読取で定まる第１白基準データと光源消灯時のイメージセンサの出力に基づき定まる第１黒基準データに基づき、印画紙モードでは第２白基準データと第２黒基準データに基づきシェーディング補正を行うシェーディング補正部と、を備え、印画紙モード選択時、シェーディング補正部は第１白基準データに対し明るい方向で異なる第２白基準データと、第１黒基準データに対し明るい方向で異なる第２黒基準データと、に基づきシェーディング補正を行う。【選択図】図７
2011010029.tif 000002
【特許請求の範囲】
【請求項１】
読取対象に光を照射する光源と、
原稿を読み取る際のモードとして、赤外光を反射する原稿の読取を対象とした印画紙モードの選択入力を受け付ける入力部と、
前記読取対象からの反射光が入射され、前記読取対象を読み取るイメージセンサと、
前記印画紙モードで読み取ろうとする原稿よりも赤外光を反射しない白基準板と、
前記印画紙モード以外のモードでは、前記白基準板読取時の前記イメージセンサの出力に基づき定まる前記第１白基準データと前記光源消灯時の前記イメージセンサの出力に基づき定まる第１黒基準データに基づき、前記印画紙モードでは第２白基準データと第２黒基準データに基づきシェーディング補正を行うシェーディング補正部と、を備え、
前記印画紙モードが選択された場合、
前記シェーディング補正部は、前記第１白基準データに対し明るい方向で異なる前記第２白基準データと、前記第１黒基準データに対し明るい方向で異なる前記第２黒基準データと、に基づきシェーディング補正を行うことを特徴とする画像読取装置。
【請求項２】
前記白基準板よりも赤外光を反射する印画紙モード用白基準板と、赤外光を反射する印画紙モード用黒基準板と、を備え、
前記印画紙モードが選択された場合、
前記シェーディング補正部は、前記印画紙モード用白基準板読取時の前記イメージセンサの出力に基づき定まる前記第２白基準データと、前記印画紙モード用黒基準板読取時の前記イメージセンサの出力に基づき定まる前記第２黒基準データに基づきシェーディング補正を行うことを特徴とする請求項１に記載の画像読取装置。
【請求項３】
前記印画紙モードが選択された場合、
前記シェーディング補正部は、前記第１白基準データを明るくする方向に補正することで得られた第２白基準データと、前記第１黒基準データを明るくする方向に補正することで得られた第２黒基準データに基づきシェーディング補正を行うことを特徴とする請求項１記載の画像読取装置。
【請求項４】
前記第１白基準データと、前記白基準板よりも赤外光を反射する印画紙モード用白基準板を前記イメージセンサで読み取ることで取得された白基準データとの差分を示す白基準差分データと、
前記第１黒基準データと、赤外光を反射し、前記第１黒基準データよりも明るい黒基準データが得られる印画紙モード用黒基準板を読み取ることで取得された黒基準データとの差分を示す黒基準差分データと、を予め記憶する記憶部を有し、
前記印画紙モードが選択された場合、
前記シェーディング補正部は、前記第１白基準データに前記白基準差分データを加える補正により得られた前記第２白基準データと、前記第１黒基準データに前記黒基準差分データを加える補正により得られた前記第２黒基準データに基づきシェーディング補正を行うことを特徴とする請求項３記載の画像読取装置。
【請求項５】
読取対象に光を照射する光源と、
原稿を読み取る際のモードとして、赤外光を反射する原稿の読取を対象とした印画紙モードの選択入力を受け付ける入力部と、
前記読取対象からの反射光が入射され、前記読取対象を読み取るイメージセンサと、
前記印画紙モードで読み取ろうとする原稿よりも赤外光を反射しない白基準板と、
前記印画紙モードで読み取ろうとする原稿よりも赤外光を反射しない黒基準板と、
前記印画紙モード以外のモードでは、前記白基準板読取時の前記イメージセンサの出力に基づき定まる前記第１白基準データと前記黒基準板読取時の前記イメージセンサの出力に基づき定まる第１黒基準データに基づき、前記印画紙モードでは第２白基準データと第２黒基準データに基づきシェーディング補正を行うシェーディング補正部と、を備え、
前記印画紙モードが選択された場合、
前記シェーディング補正部は、前記第１白基準データに対し明るい方向で異なる前記第２白基準データと、前記第１黒基準データに対し明るい方向で異なる前記第２黒基準データに基づきシェーディング補正を行うことを特徴とする画像読取装置。
【請求項６】
前記白基準板よりも赤外光を反射する印画紙モード用白基準板と、前記黒基準板よりも赤外光を反射する印画紙モード用黒基準板と、を備え、
前記印画紙モードが選択された場合、
前記シェーディング補正部は、前記印画紙モード用白基準板読取時の前記イメージセンサの出力に基づき定まる前記第２白基準データと、前記印画紙モード用黒基準板読取時の前記イメージセンサの出力に基づき定まる前記第２黒基準データに基づきシェーディング補正を行うことを特徴とする請求項５に記載の画像読取装置。
【請求項７】
前記印画紙モードが選択された場合、
前記シェーディング補正部は、前記第１白基準データを明るくする方向に補正することで得られた前記第２白基準データと、前記第１黒基準データを明るくする方向に補正することで得られた前記第２黒基準データと、に基づきシェーディング補正を行うことを特徴とする請求項５記載の画像読取装置。
【請求項８】
前記第１白基準データと、前記白基準板よりも赤外光を反射する印画紙モード用白基準板を前記イメージセンサで読み取ることで取得された白基準データとの差分を示す白基準差分データと、
前記第１黒基準データと、前記黒基準板よりも赤外光を反射する印画紙モード用黒基準板を前記イメージセンサで読み取ることで取得された黒基準データとの差分を示す黒基準差分データと、を予め記憶する記憶部を有し、
前記印画紙モードが選択された場合、
前記シェーディング補正部は、前記第１白基準データに前記白基準差分データを加える補正により得られた前記第２白基準データと、前記第１黒基準データに前記黒基準差分データを加える補正により得られた前記第２黒基準データに基づきシェーディング補正を行うことを特徴とする請求項７記載の画像読取装置。
【請求項９】
前記印画紙モード用白基準板は、白色の印画紙であり、前記印画紙モード用黒基準板は黒色の印画紙であることを特徴とする請求項２乃至８のいずれか１項に記載の画像読取装置。
【請求項１０】
請求項１乃至９のいずれか１項に記載の画像読取装置を備えることを特徴とする画像形成装置。
【発明の詳細な説明】
【技術分野】
【０００１】
本発明は、原稿を読み取り、シェーディング補正を行う画像読取装置に関する。又、この画像読取装置を備えた複合機、複写機等の画像形成装置に関する。
【背景技術】
【０００２】
スキャナ等の画像読取装置は、光源から光を放ち、原稿で反射された光をイメージセンサ（例えば、ＣＣＤ）に導き、画像データを得る。又、複写機、複合機、ＦＡＸ装置などの画像形成装置に画像読取装置が設けられることもある。そして、光源の種類により特性に差はあるが、光源から、赤外領域の光（可視光線よりも長波長の光。例えば、７５０ｎｍ程度よりも長波長の光。以下、「赤外光」という。）が放射される。
【０００３】
そして、原稿の読み取りでは、赤外光の成分を除去したい場合がある。このような原稿の反射光から赤外光を取り除く画像処理装置の一例が特許文献１に記載されている。具体的に、特許文献１には、染料系あるいは顔料系原稿を区別するため、スキャナ部１０の結像光学系に切換式の赤外カットフィルタを設け、染料系原稿の反射光から、赤外領域を含む画像情報および含まない画像情報を取得する画像処理装置が記載されている（特許文献１：段落００５６〜００６１、図４、要約等参照）。
【特許文献１】特開２００４−２８４１５６
【発明の概要】
【発明が解決しようとする課題】
【０００４】
画像読取装置内の光源の特性にもよるが、光源からの光に、比較的多くの赤外光の成分が含まれることがある。そして、原稿の用紙には、よく赤外光を反射するものと反射しないものがある。例えば、一般によく用いられる普通紙やＯＡ用紙と呼ばれる用紙は、ほとんど赤外光を反射しない。一方、印画紙（写真フィルムの画像を記録するため感光材料が塗布された用紙）は、赤外光をよく反射することが知られている。この要因の１つは、印画紙に塗布された感光材料にあると解される。
【０００５】
そして、人間の目には可視光は見えないが、画像読取装置のイメージセンサは、赤外光に対し感度（吸収特性）を有する場合がある。従って、印画紙が用いられた原稿の読み取りを行うと、光源から印画紙で反射された赤外光が、イメージセンサに導かれ、赤外光の成分が光電変換される場合がある。そうすると、赤外光の成分が上乗せされて読み取られることになる。その結果、原稿を読み取って得られた画像データや、その画像データを利用した印刷物では、原稿と階調や明るさが異なる場合がある（白っぽくなる）。
【０００６】
即ち、印画紙等を読み取って得られた画像データやその印刷物では、人間が視認する原稿と、階調、濃度、明るさ等で異なり、原稿の再現性という点で問題がある。この問題を解決するため、特許文献１に記載されるように赤外カットフィルタを設ける場合がある。又、赤外カットコーティングが施されたレンズを用いる場合がある。しかし、精度か悪ければ、光の赤色成分の一部が除外される等の弊害があり、フィルタやコーティングレンズは、精度よく、適切に赤外光の除外できるなければならない。精度、性能がよければ、その分、フィルタやコーティングレンズの価格は高くなり、開発費や製造費等、コスト上昇を招くという問題も生ずる。
【０００７】
尚、特許文献１を見ると、特許文献１の発明は、原稿の種類（顔料、染料、印画紙）を判別し、原稿にあわせてテーブルを選択するに留まる。又、赤外光の影響により、印画紙を読み取って得られた画像データやその印刷物の再現性についての記載はない。又、赤外フィルタの精度等に関する記載もない。従って、上記の問題を解決することはできない。
【０００８】
本発明は、上記従来技術の問題点に鑑みてなされたものであり、画像読取装置で、赤外カットフィルタやコーティングレンズを用いず、印画紙の原稿を読み取りでの原稿の再現性確保を低コストに実現することを課題とする。
【課題を解決するための手段】
【０００９】
請求項１に係る画像読取装置は、読取対象に光を照射する光源と、原稿を読み取る際のモードとして、赤外光を反射する原稿の読取を対象とした印画紙モードの選択入力を受け付ける入力部と、前記読取対象からの反射光が入射され、前記読取対象を読み取るイメージセンサと、前記印画紙モードで読み取ろうとする原稿よりも赤外光を反射しない白基準板と、前記印画紙モード以外のモードでは、前記白基準板読取時の前記イメージセンサの出力に基づき定まる前記第１白基準データと前記光源消灯時の前記イメージセンサの出力に基づき定まる第１黒基準データに基づき、前記印画紙モードでは第２白基準データと第２黒基準データに基づきシェーディング補正を行うシェーディング補正部と、を備え、前記印画紙モードが選択された場合、前記シェーディング補正部は、前記第１白基準データに対し明るい方向で異なる前記第２白基準データと、前記第１黒基準データに対し明るい方向で異なる前記第２黒基準データと、に基づきシェーディング補正を行うこととした。
【００１０】
この構成によれば、印画紙モードが選択された場合、普通紙など、赤外光の反射の少ない或いはほとんど無い原稿を読み取る印画紙モード以外のモードのときよりも、シェーディング補正での白基準と黒基準を明るい方向で異ならせる。これにより、印画紙の原稿を読み取ると、赤外光の成分によるイメージセンサに蓄積される電荷の増加により、明るく読み取られるという赤外光の影響を軽減、解消する方向に、シェーディング補正での白基準と黒基準を移動させることができる。従って、原稿の再現性が確保される。又、従来のように、赤外光の成分を除去するフィルタやコーティングレンズを設ける必要が無くなり、画像読取装置の開発、製造コストを削減することができる。
【００１１】
一方で、普通紙やＯＡ用紙等、印画紙に比べ赤外光を反射しない原稿を読み取る場合、赤外光の影響を考慮する必要がない。むしろ、印画紙モード以外のモードで、第２白基準データと第２黒基準データでシェーディング補正が行われると、画像データやその印刷物が原稿に比べ暗くなる場合がある。しかし、この構成によれば、印画紙モード以外のモードでは、第１白基準データと第１黒基準データに基づきシェーディング補正が行われるので、印画紙以外の原稿を読み取った際の再現性も確保される。従って、原稿の用紙を問わず、適切なシェーディング補正を行うことができる。
【００１２】
又、請求項２に係る発明は、請求項１の発明において、前記白基準板よりも赤外光を反射する印画紙モード用白基準板と、赤外光を反射する印画紙モード用黒基準板と、を備え、前記印画紙モードが選択された場合、前記シェーディング補正部は、前記印画紙モード用白基準板読取時の前記イメージセンサの出力に基づき定まる前記第２白基準データと、前記印画紙モード用黒基準板読取時の前記イメージセンサの出力に基づき定まる前記第２黒基準データに基づきシェーディング補正を行うこととした。
【００１３】
この構成では、イメージセンサで読み取ると、第１白基準データや第１黒基準データよりも明るい白基準データ、黒基準データが得られる印画紙モード用白基準板と印画紙モード用黒基準板を備える。これにより、印画紙モード選択時、印画紙モード用白基準板と印画紙モード用黒基準板を読み取り第２白基準データ、第２黒基準データを得ることができる。従って、印画紙の原稿の読み取りでの赤外光の成分による影響を軽減、解消することができる。又、印画紙モード用白基準板と印画紙モード用黒基準板は、例えば、樹脂製や紙製のものでよく、高精度、高性能なフィルタやコーティングレンズに比べ、画像読取装置の製造コストは抑えられる。
【００１４】
又、請求項３に係る画像読取装置は、請求項１の発明において、前記印画紙モードが選択された場合、前記シェーディング補正部は前記第１白基準データを明るくする方向に補正することで得られた第２白基準データと、前記第１黒基準データを明るくする方向に補正することで得られた第２黒基準データに基づきシェーディング補正を行うこととした。
【００１５】
この構成では、第１白基準データと第１黒基準データを明るくなる（白くなる）方向に補正して、印画紙モード用の第２白基準データと第２黒基準データが得られる。従って、従って、印画紙の原稿の読み取りでの赤外光の成分による影響を軽減、解消することができる。又、補正の演算で求めることができるから、印画紙モード用の白基準板や黒基準板を設ける必要や、高精度、高性能なフィルタやコーティングレンズが必要無く、画像読取装置の開発、製造コストは抑えられる。
【００１６】
又、請求項４に係る画像読取装置は、請求項３の発明において、前記第１白基準データと、前記白基準板よりも赤外光を反射する印画紙モード用白基準板を前記イメージセンサで読み取ることで取得された白基準データとの差分を示す白基準差分データと、前記第１黒基準データと、赤外光を反射し、前記第１黒基準データよりも明るい黒基準データが得られる印画紙モード用黒基準板を読み取ることで取得された黒基準データとの差分を示す黒基準差分データと、を予め記憶する記憶部を有し、前記印画紙モードが選択された場合、前記シェーディング補正部は、前記第１白基準データに前記白基準差分データを加える補正により得られた前記第２白基準データと、前記第１黒基準データに前記黒基準差分データを加える補正により得られた前記第２黒基準データに基づきシェーディング補正を行うこととした。
【００１７】
この構成では、印画紙での読み取りでの赤外光の影響を加味するため、白基準差分データと黒基準差分データが用意される。これにより、印画紙モード以外で使用される第１白基準データと第１黒基準データに対し、白基準差分データと黒基準差分データで補正し、第２白基準データと第２黒基準データを得ることができる。従って、印画紙の原稿の読み取りでの赤外光の成分による影響を軽減、解消することができる。又、印画紙モード用の白基準板や黒基準板を設ける必要や、高精度、高性能なフィルタやコーティングレンズが必要無く、画像読取装置の製造コストは抑えられる。
【００１８】
請求項５に係る画像読取装置は、読取対象に光を照射する光源と、原稿を読み取る際のモードとして、赤外光を反射する原稿の読取を対象とした印画紙モードの選択入力を受け付ける入力部と、前記読取対象からの反射光が入射され、前記読取対象を読み取るイメージセンサと、前記印画紙モードで読み取ろうとする原稿よりも赤外光を反射しない白基準板と、前記印画紙モードで読み取ろうとする原稿よりも赤外光を反射しない黒基準板と、前記印画紙モード以外のモードでは、前記白基準板読取時の前記イメージセンサの出力に基づき定まる前記第１白基準データと前記黒基準板読取時の前記イメージセンサの出力に基づき定まる第１黒基準データに基づき、前記印画紙モードでは第２白基準データと第２黒基準データに基づきシェーディング補正を行うシェーディング補正部と、を備え、前記印画紙モードが選択された場合、前記シェーディング補正部は、前記第１白基準データに対し明るい方向で異なる前記第２白基準データと、前記第１黒基準データに対し明るい方向で異なる前記第２黒基準データに基づきシェーディング補正を行うこととした。この構成によれば、請求項１と同様の作用、効果を得ることができる。
【００１９】
請求項６に係る画像読取装置は、請求項５の発明において、前記白基準板よりも赤外光を反射する印画紙モード用白基準板と、前記黒基準板よりも赤外光を反射する印画紙モード用黒基準板と、を備え、前記印画紙モードが選択された場合、前記シェーディング補正部は、前記印画紙モード用白基準板読取時の前記イメージセンサの出力に基づき定まる前記第２白基準データと、前記印画紙モード用黒基準板読取時の前記イメージセンサの出力に基づき定まる前記第２黒基準データに基づきシェーディング補正を行うこととした。この構成によれば、請求項２と同様の作用、効果を得ることができる。
【００２０】
請求項７に係る画像読取装置は、請求項５記載の発明において、前記印画紙モードが選択された場合、前記シェーディング補正部は、前記第１白基準データを明るくする方向に補正することで得られた前記第２白基準データと、前記第１黒基準データを明るくする方向に補正することで得られた前記第２黒基準データと、に基づきシェーディング補正を行うこととした。この構成によれば、請求項３と同様の作用、効果を得ることができる。
【００２１】
請求項８に係る画像読取装置は、請求項４記載の発明において、前記第１白基準データと、前記白基準板よりも赤外光を反射する印画紙モード用白基準板を前記イメージセンサで読み取ることで取得された白基準データとの差分を示す白基準差分データと、前記第１黒基準データと、前記黒基準板よりも赤外光を反射する印画紙モード用黒基準板を前記イメージセンサで読み取ることで取得された黒基準データとの差分を示す黒基準差分データと、を予め記憶する記憶部を有し、前記印画紙モードが選択された場合、前記シェーディング補正部は、前記第１白基準データに前記白基準差分データを加える補正により得られた前記第２白基準データと、前記第１黒基準データに前記黒基準差分データを加える補正により得られた前記第２黒基準データに基づきシェーディング補正を行うこととした。この構成によれば、請求項４と同様の作用、効果を得ることができる。
【００２２】
請求項９に係る画像読取装置は、請求項２乃至８の発明において、前記印画紙モード用白基準板は、白色の印画紙であり、前記印画紙モード用黒基準板は黒色の印画紙であることとした。この構成によれば、印画紙モード用白基準板と印画紙モード用黒基準板を安価なものとすることができ、画像読取装置の開発、製造に要するコストが低減される。
【００２３】
又、請求項１０に係る画像形成装置は、請求項１乃至９のいずれか１項に記載の画像読取装置を備えることとした。この構成によれば、原稿の用紙が赤外光をよく反射しても、赤外光の影響が軽減、解消された画像データに基づき印刷を行うことができる。従って、原稿の用紙の種類を問わずに再現性の高い画像形成装置を提供することができる。又、画像読取装置の開発、製造コストが抑えられるので、画像形成装置の開発、製造コストも低く抑えることができる。
【発明の効果】
【００２４】
本発明によれば、赤外光をよく反射する原稿の読取を行っても、忠実に原稿を再現する画像読取装置や画像形成装置を提供することができる。即ち、原稿の用紙の種類を問わず、再現性の高い画像読取装置、画像形成装置を提供することができる。又、赤外カットフィルタやコーティングレンズを用いず、開発や製造でのコストが削減される。
【図面の簡単な説明】
【００２５】
【図１】第１の実施形態に係る複写機の模型的正面断面図である。
【図２】第１の実施形態に係る画像形成部の一部拡大模型的断面図である。
【図３】（ａ）は第１の実施形態に係る画像読取装置の一例を示す模型的正面断面図、（ｂ）はシェーディング板の一例を示す平面図である。
【図４】第１実施形態に係る複写機のハードウェア構成の一例を示すブロック図である。
【図５】第１の実施形態に係る画像読取部の一例を示すブロック図である。
【図６】第１の実施形態に係る印画紙モードと印画紙モード以外のモードでのシェーディング補正の差の一例を示す説明図である。
【図７】第１の実施形態に係る原稿の読取制御の一例を示すフローチャートである。
【図８】第２の実施形態に係るシェーディング板の一例を示す平面図である。
【図９】第２の実施形態に係る原稿の読取制御の一例を示すフローチャートである。
【図１０】第３の実施形態に係るシェーディング板の一例を示す平面図である。
【図１１】第３の実施形態に係る原稿の読取制御の一例を示すフローチャートである。
【発明を実施するための形態】
【００２６】
以下、本発明の第１の実施形態を図１〜図７を参照しつつ説明する。但し、各実施の形態に記載されている構成、配置等の各要素は、発明の範囲を限定するものではなく単なる説明例にすぎない。
【００２７】
（複写機１００の構成の概要）
まず、図１を用い、本発明の第１の実施形態に係る複写機１００（画像形成装置に相当）の概略を説明する。図１は、本発明の第１の実施形態に係る複写機１００の模型的正面断面図である。
【００２８】
図１に示すように、複写機１００の上部には原稿の画像を読み取る画像読取部２（詳細は後述）と、原稿搬送装置３（詳細は後述）とからなる画像読取装置１が配される。そして、複写機１００の内部には、給紙部４ａ、用紙搬送路４ｂ、画像形成部５ａ（詳細は後述）、中間転写部６、定着部５ｂ等が配される。
【００２９】
尚、複写機１００の正面前方には、画像読取装置１や複写機１００の動作開始を指示するためのスタートキー７１や、タッチパネル式の液晶表示部７２を有する操作パネル７（入力部に相当）を設けることができる（図１に破線で図示）。液晶表示部７２は、タッチパネルによるメニュー選択で設定指示を受け付ける。例えば、印画紙や銀塩写真等の赤外光をよく反射する原稿の読み取りを対象とした印画紙モードや、複写機の製造者が使用を推奨する標準紙、普通紙、再生紙、書籍等の赤外光をほとんど反射しない（印画紙よりも赤外光を反射しない）原稿を読み取りを対象とした通常モード等のモードの選択入力を液晶表示部７２に行うことができる。即ち、操作パネル７は、原稿を読み取る際のモードとして、赤外光を反射する原稿の読取を対象とした印画紙モードの選択入力を受け付ける。
【００３０】
給紙部４ａは、記録媒体として用紙（Ａ４、Ｂ４等の各サイズ）等の用紙を収納し、画像形成の際、用紙を供給する。用紙搬送路４ｂは、供給された用紙を排出トレイ４１まで搬送する。そのため、用紙搬送路４ｂには、搬送ローラ対４２等が複数設けられる。
【００３１】
中間転写部６は、画像形成部５ａの上方に設けられ、画像データに基づき、画像形成部５ａの各感光体ドラム５２の周面に形成されたトナー像の１次転写を受け、用紙にトナー像の２次転写を行う部分である。そして、中間転写ベルト６１は、下側の外周面と各感光体ドラム５２が当接するように、駆動ローラ６２、従動ローラ６３、４本の１次転写ローラ６４等に張架される。駆動ローラ６２にはモータ、ギア等の駆動手段（不図示）が接続され回転する。中間転写ベルト６１は、駆動ローラ６２の回転により、図１において時計方向（矢印方向）に周回する。ここで、１次転写ローラ６４は、各感光体ドラム５２に対向して１本ずつ回転可能に配され、１次転写ローラ６４に所定の大きさの電圧が印加される。電圧印加により、各色のトナー像が、各感光体ドラム５２から中間転写ベルト６１に１次転写される。この１次転写の際、各色のトナー像はずれなく重ね合わせられる。
【００３２】
そして、中間転写ベルト６１に当接し、駆動ローラ６２に対向し、回転可能に支持される２次転写ローラ６５が中間転写部６に設けられる。駆動ローラ６２と中間転写ベルト６１のニップに用紙とトナー像が進入した際、所定の電圧が２次転写ローラ６５に印加されトナー像は用紙に２次転写される。ベルトクリーニング装置６６は、残トナー等を中間転写ベルト６１から除去し、清掃する。定着部５ｂは、用紙に転写されたトナー像を定着させる。用紙は定着部５ｂを通過する際に加圧・加熱され、トナー像が用紙に定着する。その後、用紙は排出トレイ４１に排出され、画像形成が完了する。
【００３３】
（画像形成部５ａの構成）
次に、図１及び図２に基づき、本発明の第１の実施形態に係る複写機１００の画像形成部５ａを説明する。図２は、本発明の第１の実施形態に係る画像形成部５ａの一部拡大模型的断面図である。
【００３４】
画像形成部５ａは、画像データに基づき記録媒体に印刷を行うため画像（トナー像）を形成する。そして、画像形成部５ａは、図１に示すように、４つの画像形成ユニット５０Ｋ（ブラック）、５０Ｃ（シアン）、５０Ｍ（マゼンタ）、５０Ｙ（イエロー）と、画像データに基づき、光による走査・露光を各感光体ドラム５２に対し行って、静電潜像を形成する露光装置５１で構成される。
【００３５】
このように、本実施形態の複写機１００は、黒色を含む複数色のトナーを用いてカラートナー像を形成可能である。尚、各画像形成ユニット５０は、使用するトナーの色が異なるが、基本的構成は同様であるから以下の説明では特に説明する場合を除き、Ｋ、Ｙ、Ｃ、Ｍの記号は省略する。
【００３６】
そして、図２に示すように、各画像形成ユニット５０は、同図中に示す矢印方向に回転可能に支持され、モータ（不図示）等により、所定の方向に回転駆動される感光体ドラム５２を備える。又、感光体ドラム５２の周囲には、帯電装置５３、現像装置５４、清掃装置５５が配される。
【００３７】
帯電装置５３は、感光体ドラム５２の表面を所定電位に均一に帯電させる。露光装置５１は、帯電後の感光体ドラム５２表面を画像データにあわせ走査・露光する。そして、現像装置５４は、トナーを担持し、トナーを感光体ドラム５２に飛翔させる。現像装置５４は、静電潜像に帯電したトナーを供給して現像（可視像化）する。清掃装置５５は、感光体ドラム５２の表面を清掃する。これらの構成により、トナー像が各感光体ドラム５２の周面に形成され、トナー像は、中間転写部６に１次転写される。
【００３８】
（画像読取装置１の構成）
次に、図３に基づき、本発明の第１の実施形態に係る画像読取装置１を説明する。図３（ａ）は本発明の第１の実施形態に係る画像読取装置１の一例を示す模型的正面断面図、（ｂ）はシェーディング板２９ａの一例を示す平面図である。
【００３９】
本実施形態の画像読取装置１は、原稿搬送装置３と画像読取部２とで構成される。まず、原稿搬送装置３は、読み取りを行う原稿を載置する原稿トレイ３１、原稿の搬送を行う複数の原稿搬送ローラ対３２、原稿搬送路３３、原稿排出トレイ３４を備える。原稿トレイ３１上の原稿は、１枚ずつ原稿搬送路３３に送り出される。送り出された原稿は、画像読取部２上面の送り読取用コンタクトガラス２１ａに接するように自動かつ連続的に搬送される。又、原稿搬送装置３は、紙面奥側設けられた支点（不図示）により、上方に持ち上げ可能であり、例えば書籍等の原稿を画像読取部２の上面の載置読取用コンタクトガラス２１ｂに載せることもできる。
【００４０】
次に、画像読取部２は、スキャナとしてユニット化され、原稿に光を照射し、その反射光に基づき原稿を読み取って画像データを生成する。そのため、画像読取部２は、第１移動枠２２１、第２移動枠２２２、レンズ２３、イメージセンサ２４等を備える。第１移動枠２２１は、主走査方向に伸び、読取対象に光を照射するランプ２５（光源に相当、例えば、キセノンランプ）と第１ミラー２６１を備える。尚、ランプ２５は、キセノンランプ以外の光源でもよい。第２移動枠２２２は、第２ミラー２６２、第３ミラー２６３を備える。レンズ２３は、原稿の反射光を結像する。イメージセンサ２４（例えばＣＣＤ）は、複数のライン状に、複数の受光素子が配される。そして、イメージセンサ２４は、原稿の読み取りのため、ランプ２５から原稿に当たり、レンズ２３で結像された反射光が入射されることにより反射光量に応じた光電変換を行う。即ち、イメージセンサ２４は、読取対象からの反射光が入射され、読取対象を読み取る。
【００４１】
原稿搬送装置３を用いて原稿を読み取る時、各移動枠は、送り読取用コンタクトガラス２１ａの下方で固定される。一方、載置読取用コンタクトガラス２１ｂ上の原稿を読み取る時、巻取ドラム２７の回転駆動により各移動枠を水平方向に移動させて読み取りが行われる（各移動枠と巻取ドラム２７は、ワイヤ２８で接続される）。尚、画像データの生成の詳細は後述する。又、巻取ドラム２７は、正逆回転する巻取モータ２７Ｍにより回転させられる（図５参照）。
【００４２】
ここで、送り読取用コンタクトガラス２１ａと載置読取用コンタクトガラス２１ｂの間には、原稿の搬送をガイドするガイド部材２９が設けられ、そして、ガイド部材２９の下面には、シェーディング補正を行う際の白基準や黒基準を得るためのシェーディング板２９ａが設けられる。シェーディング板２９ａは、画像読取装置１の主走査方向（原稿搬送方向と垂直な方向、図３（ａ）の紙面に対し垂直な方向）に伸びる板である。このシェーディング板２９ａの読取で、シェーディング補正における白基準や黒基準が定まる。
【００４３】
次に、図３（ｂ）に基づき、シェーディング板２９ａの構成を説明する。図３（ｂ）に示すように、シェーディング板２９ａは、それぞれ色の異なる細長い基準板を組み合わせたものである。具体的には、図３（ｂ）の上方から、印画紙モード用白基準板Ｗ２、印画紙モード以外のモードで使用される白基準板Ｗ１、印画紙モード用黒基準板Ｂ２である。尚、本実施形態では、印画紙モード以外のモードでの黒基準データは、ランプ２５の無点灯状態のイメージセンサ２４の出力データに基づき定まる。
【００４４】
ここで、白基準板Ｗ１は、透過、吸収等によりほとんど赤外光を反射せず、印画紙モードで読み取ろうとする原稿（例えば、印画紙）よりも赤外光を反射しない。尚、表面を荒くして、赤外光を拡散させることで、イメージセンサに到達する赤外光を減らすようにした白基準板Ｗ１でもよい。一方、印画紙モード用白基準板Ｗ２は印画紙と同程度に赤外光を反射し、白基準板Ｗ１よりも赤外光を反射する。又、印画紙モード用黒基準板Ｂ２は、印画紙モード用白基準板Ｗ２と同様、印画紙と同程度に赤外光を反射する。
【００４５】
尚、印画紙モード用白基準板Ｗ２と印画紙モード用黒基準板Ｂ２が赤外光を反射させる度合は読み取ろうとする印画紙と同程度とすればよいが、赤外光の反射の度合は、印画紙によって異なる場合もあり得る。そこで、例えば、複数社分の印画紙を複数リストアップし、平均を実験等で確かめる。そして、平均に基づき基準となる印画紙を定め、印画紙モード用白基準板Ｗ２と印画紙モード用黒基準板Ｂ２は、基準と印画紙と同等に赤外光を反射させるようにしてもよい。又、例えば、印画紙モード用白基準板Ｗ２と印画紙モード用黒基準板Ｂ２は白色又は黒色の印画紙で構成してもよい。即ち、印画紙モード用白基準板Ｗ２は、白色の印画紙であり、印画紙モード用黒基準板Ｂ２は黒色の印画紙であってもよい。或いは、白色又は黒色の樹脂板に、印画紙と同様の感光材料を塗布したものでも良い。
【００４６】
（複写機１００の制御におけるハードウェア構成）
次に、図４に基づき、本発明の第１の実施形態に係る複写機１００のハードウェア構成を説明する。図４は、本発明の第１の実施形態に係る複写機１００のハードウェア構成の一例を示すブロック図である。
【００４７】
図４に示すように、本実施形態に係る複写機１００は、内部に制御部１０を有する。制御部１０は、複写機１００全体の制御を司る。例えば、制御部１０は、ＣＰＵ１０ａ、記憶部１０ｂ等から構成される。
【００４８】
ＣＰＵ１０ａは、中央演算処理装置であって、記憶部１０ｂに格納され、展開される制御プログラムに基づき複写機１００の各部の制御や演算を行う。記憶部１０ｂは、ＲＯＭ、ＲＡＭ、ＨＤＤ、フラッシュＲＯＭ等の記憶装置で構成される。記憶部１０ｂは、複写機１００の制御用プログラム、制御用データ、設定データ、画像読取部２でスキャンした画像データ等を記憶する。
【００４９】
そして、制御部１０は、画像読取装置１としての原稿搬送装置３や画像読取部２、及び、複写機１００内の給紙部４ａ、用紙搬送路４ｂ、中間転写部６、画像形成部５ａ、定着部５ｂ、画像処理部９（詳細は後述）、操作パネル７等と接続され、記憶部１０ｂの制御プログラムやデータに基づき、適切に画像形成が行われるように各部の動作を制御する。又、例えば、制御部１０は印画紙モード選択等の操作パネル７への入力内容を把握する。
【００５０】
（画像読取装置１のハードウェア構成と画像データの生成）
次に、図５に基づき、本発明の第１の実施形態に係る画像読取装置１のハードウェア構成と画像データの生成を説明する。図５は、本発明の第１の実施形態に係る画像読取部２の一例を示すブロック図である。尚、画像データの流れは、白抜矢印で図示している。
【００５１】
まず、画像読取装置１の一部である原稿搬送装置３には原稿搬送制御部３０が設けられる。原稿搬送制御部３０は、複合機本体の制御部１０と通信可能に接続され、操作パネル７のスタートキー７１が押下された場合など、原稿トレイ３１に載置された原稿の読み取りを行う場合、複合機本体の制御部１０からの指示を受ける。そして、原稿搬送制御部３０は、例えば、原稿を搬送する各種回転体を回転させる原稿搬送モータ３Ｍ等を制御する。これにより、原稿搬送装置３の動作が制御される。
【００５２】
又、画像読取装置１の一部である画像読取部２には読取制御部２０が設けられる。読取制御部２０は、ＣＰＵ、チップ等の各種電子部品が実装された基板である。そして、読取制御部２０は、複合機本体の制御部１０と通信可能に接続され、操作パネル７のスタートキー７１が押下された場合など、原稿の読み取りを行う場合、制御部１０からの指示を受ける。又、読取制御部２０は、巻取モータ２７Ｍやランプ２５やイメージセンサ２４等と接続され、例えば、巻取ドラム２７を回転させる巻取モータ２７Ｍの動作や、原稿に光を照射するランプ２５の点消灯や、イメージセンサ２４等の駆動等を制御する。これにより、画像読取部２の動作が制御される。尚、読取制御部２０内には、プログラムやデータを保存するための記憶部２０１を設けることができる。
【００５３】
まず、画像読取部２での原稿の読み取りと画像データ生成では、イメージセンサ２４は、画素ごとに、ランプ２５から照射され原稿等で反射された反射光の強さに応じた電流（電圧）を出力する。尚、本実施形態のイメージセンサ２４は、カラー対応のラインセンサであり、Ｒ、Ｇ、Ｂの各信号を出力する。そして、イメージセンサ２４の各出力電流（電圧）は、Ａ／Ｄ変換部２０ａに入力される。尚、Ａ／Ｄ変換部２０ａの前段に増幅器が設けられてもよい。Ａ／Ｄ変換部２０ａは、イメージセンサ２４の各画素のアナログの各出力電流（電圧）をディジタルデータ化し、シェーディング補正部８に出力する。
【００５４】
シェーディング補正部８は、白基準データや黒基準データ等のデータやプログラムを記憶する記憶部８１や、その他、シェーディング補正用の演算回路等で構成される。一般に、イメージセンサ２４において、ライン状に配された各画素に相当する各受光素子のばらつき（個体特性差）や、レンズ２３の中心部と周辺部の集光度の違いや、ランプ２５の位置による発光量のムラ等によって、主走査方向において同一濃度の各基準板や、原稿を読み取っても、画素の位置により、イメージセンサ２４の各受光素子が出力する電流（電圧）の値に差が生ずる。そこで、シェーディング補正部８は、イメージセンサ２４の画素ごとに、白基準データと黒基準データを定め、画素の位置に依存する歪みを補正する。
【００５５】
具体的に、シェーディング補正部８は、印画紙モード以外のモードの時、白基準板Ｗ１を読み取った際のイメージセンサ２４の各画素のディジタルデータ（出力値）を白基準データとして取得し、記憶する。又、シェーディング補正部８は、印画紙モード以外のモードの時、ランプ２５消灯時のイメージセンサ２４の各画素のディジタルデータ（出力値）を黒基準データとして取得し、記憶する。
【００５６】
一方、シェーディング補正部８は、印画紙モードでは、印画紙モード用白基準板Ｗ２を読み取った際のイメージセンサ２４の各画素のディジタルデータ（出力値）を白基準データとして取得し、記憶する。又、シェーディング補正部８は、印画紙モード用黒基準板Ｂ２を読み取った際のイメージセンサ２４の各画素のディジタルデータ（出力値）を黒基準データとして取得し、記憶する。
【００５７】
尚、以下の説明では、印画紙モード以外のモードでの白基準データと黒基準データをそれぞれ、「第１白基準データ」、「第１黒基準データ」と称する。又、印画紙モードでの白基準データと黒基準データをそれぞれ、「第２白基準データ」、「第２黒基準データ」と称する。即ち、シェーディング補正部８は、印画紙モード以外のモードでは、白基準板Ｗ１読取時のイメージセンサ２４の出力に基づき定まる第１白基準データとランプ２５消灯時のイメージセンサ２４の出力に基づき定まる第１黒基準データに基づき、印画紙モードでは第２白基準データと第２黒基準データに基づきシェーディング補正を行う。尚、白基準データ、黒基準データにつき、印画紙モードと印画紙モード以外のモードの両方に当てはまる説明では、特に説明する場合を除き、「第１」、「第２」の語は省略する。
【００５８】
そして、印画紙モード以外のモードでは、シェーディング補正部８は、第１白基準データと第１黒基準データを利用してシェーディング補正を行う。又、印画紙モードでは、シェーディング補正部８は、第２白基準データと第２黒基準データを利用してシェーディング補正を行う。
【００５９】
例えば、シェーディング補正部８は、各画素について、各モードでの白基準データと黒基準データの間を、予め定められたステップ数（階調数、例えば、８ビット２５６階調）で刻み、イメージセンサ２４の出力（Ａ／Ｄ変換後のディジタルデータ）の大きさに応じて、各画素について階調化（量子化）を行う。尚、シェーディング補正部８に入力されるイメージセンサ２４のディジタルデータが白基準と黒基準の間に収まらなければ、例えば、白基準、若しくは、黒基準と同値とされる。
【００６０】
例えば、シェーディング補正部８が白黒の画像データを出力する場合、１画素当たり８ビット（例えば、２５６階調）で出力し、各画素の値が濃度値となる。カラーの場合、ＲＧＢで１画素当たり、計２４ビットに量子化を行う（例えば、Ｒｅｄ＝８ビット、Ｇｒｅｅｎ＝８ビット、Ｂｌｕｅ＝８ビット、それぞれ０〜２５５の値を取り、２５６階調）。
【００６１】
例えば、印画紙モード以外のモードでは、シェーディング補正部８は、カラーの画像データの場合、ランプ２５の消灯時のイメージセンサ２４のディジタルデータ値（出力値）は、（Ｒ；Ｇ；Ｂ＝０，０，０）と量子化され、白基準板Ｗ１を読み取った際のイメージセンサ２４のディジタルデータ値（出力値）は（Ｒ；Ｇ；Ｂ＝２５５，２５５，２５５）と量子化される。又、例えば、印画紙モードでは、シェーディング補正部８は、カラーの画像データの場合、印画紙モード用黒基準板Ｂ２を読み取った時のイメージセンサ２４のディジタルデータ値（出力値）は、（Ｒ；Ｇ；Ｂ＝０，０，０）と量子化され、印画紙モード用白基準板Ｗ２を読み取った際のイメージセンサ２４の出力値は、（Ｒ；Ｇ；Ｂ＝２５５，２５５，２５５）と量子化される。
【００６２】
そして、シェーディング補正部８が出力する原稿画像の画像データは、画像処理部９に入力される。本実施形態の画像処理部９は、画像データに関する演算や作業領域としてのワークＲＡＭや専用回路としてのＡＳＩＣ等を組み合わせて構成される回路である。尚、制御部１０のＣＰＵ１０ａや記憶部１０ｂに画像処理プログラムを格納してソフトウェア的に画像処理部９を実現することもできる。
【００６３】
尚、画像処理部９は、濃度変換処理や、拡大縮小処理、画像データのデータ形式変換処理等、各種画像処理を行うことができる。しかし、実行可能な画像処理は多岐にわたるので、本説明では、画像処理部９は、公知の画像処理を行えるものとして、画像処理部９が実行可能な画像処理の詳細な説明は割愛する。
【００６４】
そして、画像処理部９が画像処理を施した後の画像データは、例えば、画像形成部５ａの露光装置５１に送られ、各感光体ドラム５２の走査・露光に用いられる。これにより、原稿に基づき印刷を行うことができる（コピー機能）。又、例えば、画像処理部９が画像処理を施した後の画像データを記憶部１０ｂに送り、記憶部１０ｂに記憶させておくこともできる（スキャナ機能）。
【００６５】
（印画紙モードと印画紙モード以外のモードの差）
次に、図６に基づき、本発明の第１の実施形態に係る印画紙モードと印画紙モード以外のモードでのシェーディング補正の差を説明する。図６は、本発明の第１の実施形態に係る印画紙モードと印画紙モード以外のモードでのシェーディング補正の差の一例を示す説明図である。尚、図６のグラフの縦軸は、濃度を示し、上方になるほど白く（明るく）、下方になるほど黒い（暗い）ことを示している。
【００６６】
一般に、原稿に用いられる用紙（標準紙、普通紙、ＯＡ用紙等）は、透過、吸収等により赤外光をほとんど反射しない。一方で、印画紙は、標準紙等に比べて赤外光をよく反射する。そして、画像読取装置１に搭載されるイメージセンサ２４は、赤外光に感度を有することがある。そうすると、赤外光もイメージセンサ２４で、電荷に変換される。
【００６７】
人間の目には赤外光は見えないので、画像読取装置１では、赤外光の成分を読み取らないことが好ましい。例えば、人間の目から見て同じ内容、同じ濃度の画像が印刷されている印画紙と標準紙があるとする。これら２種の用紙の原稿を読み取った場合、印画紙を読み取った際の画像データやその印刷物では、赤外光の成分が電荷に変換されるために、原稿に比べ明るく（白っぽく）なる。
【００６８】
このような、印画紙の赤外光の反射率が高いことによる再現性の低下は、赤外光の成分がイメージセンサ２４で電荷に変換され、赤外光成分がイメージセンサ２４の出力に上乗せされることにより生ずる。言い換えると、印画紙の読取では、赤外光をほとんど反射しない用紙の原稿を読み取った時より、赤外光成分でイメージセンサ２４の出力が大きくなり、再現性の低下が生ずる。この赤外光による影響をなくすため、又、赤外カットフィルタや赤外カットのコーティング処理が施されたレンズ２３を用いることがある。
【００６９】
ここで、シェーディング補正は、白基準と黒基準の間で階調を正規化する処理である。尚、一般に、白基準を得るための白基準板Ｗ１には、赤外光をほとんど反射しないものが用いられる。従って、読み取り時の赤外光による影響は、赤外光をほとんど反射しない原稿を読み取る時（印画紙モード以外のモードでの読取時）と、印画紙を読み取る時とで、白基準と黒基準のレベルをずらせば、軽減、解消を図ることができる場合がある。
【００７０】
そこで、本実施形態の複写機１００、画像読取装置１では、印画紙モードの場合、図６に示すように、印画紙以外の用紙を読み取る時に比べ、白基準と黒基準を明るくなる（白くなる）方向にシフトとする。これにより、赤外光の成分によるイメージセンサ２４の出力増加分が相殺されるかたちとなり、赤外光の影響が軽減、解消される。
【００７１】
即ち、印画紙モードの第２白基準データは、印画紙モード以外のモードでの第１白基準データよりも明るく（白く）される。又、印画紙モードの第２黒基準データは、印画紙モード以外のモードでの第１黒基準データよりも明るく（白く）される。
【００７２】
これにより、図６に示すように、印画紙モードでは、印画紙モード以外のモードに比べ白基準と黒基準の濃度範囲が明るい（白い）方向にシフトされる。ここで、印画紙モードと印画紙モード以外のモードでの白基準データの差分ΔＷと、黒基準データの差分ΔＢｋは、赤外光の反射によってイメージセンサ２４のディジタルデータ値（出力値）が増加する量と同程度となるように定めればよい。
【００７３】
ΔＷ、ΔＢｋは、印画紙と、普通紙や標準紙を読み取った時の赤外光のイメージセンサ２４からのディジタルデータの差とすれば、同一画像を読み取った時の読み取り結果に差が無くなる。具体的に、例えば、白基準板Ｗ１は、白色の普通紙や標準紙で構成し、印画紙モード用白基準板Ｗには、白色の印画紙で構成する。又、印画紙モード用黒基準板Ｂ２は、黒色の印画紙で構成する。これにより、印画紙モードでの第２白基準データ、第２黒基準データと、印画紙モード以外のモードでの第１白基準データと第１黒基準データに明るさの差が出る。
【００７４】
（読取制御）
次に、図７に基づき、本発明の第１の実施形態に係る複写機１００での原稿の読取制御の一例を説明する。図７は、本発明の第１の実施形態に係る原稿の読取制御の一例を示すフローチャートである。尚、本説明ではスキャンやコピー等の原稿読取時、印画紙モード以外のモードと印画紙モードのいずれかが操作パネル７でセットされる例を説明する。
【００７５】
まず、スタートは、例えば、操作パネル７のスタートキー７１が押下され、コピーやスキャン等での原稿の読取開始が指示された時点である。この時、複写機１００本体の制御部１０は、読み取りで選択されたモードを把握する（ステップ♯１）。次に、制御部１０は、選択されたモードが印画紙モードであるかを確認する（ステップ♯２）。
【００７６】
もし、選択されたモードが印画紙モードであれば（ステップ♯２のＹｅｓ）、制御部１０は、読取制御部２０に印画紙モードでの読み取りを指示する（ステップ♯３）。この指示を受けた読取制御部２０は、印画紙モードでの第２白基準データを取得するため、巻取モータ２７Ｍを駆動させ、各移動枠を移動させて、シェーディング板２９ａのうちの印画紙モード用白基準板Ｗ２の読み取りを行わせる（ステップ♯４）。そして、シェーディング補正部８は、イメージセンサ２４の各画素のディジタルデータを印画紙モードの第２白基準データとして取得する（ステップ♯５）。
【００７７】
更に、読取制御部２０は、印画紙モードでの黒基準を取得するため、巻取モータ２７Ｍを駆動させ、各移動枠を移動させて、シェーディング板２９ａのうちの印画紙モード用黒基準板Ｂ２の読み取りを行わせる（ステップ♯６）。そして、シェーディング補正部８は、イメージセンサ２４の出力に基づく各画素のディジタルデータを印画紙モードでの第２黒基準データとして取得する（ステップ♯７）。
【００７８】
一方、選択されたモードが印画紙モードでなければ（ステップ♯２のＮｏ）、制御部１０は、読取制御部２０に印画紙モード以外のモードでの読み取りを指示する（ステップ♯８）。この指示を受けた読取制御部２０は、印画紙モード以外のモードでの白基準を取得するため、巻取モータ２７Ｍを駆動させるなどして、シェーディング板２９ａのうちの白基準板Ｗ１の読み取りを行わせる（ステップ♯９）。そして、シェーディング補正部８は、イメージセンサ２４の出力に基づく各画素のディジタルデータを印画紙モード以外のモードでの第１白基準データとして取得する（ステップ♯１０）。
【００７９】
更に、読取制御部２０は、黒基準取得のため、ランプ２５を消灯させる（ステップ♯１１）。そして、シェーディング補正部８は、ランプ２５消灯時のイメージセンサ２４の出力に基づく各画素のディジタルデータを印画紙モード以外のモードでの第１黒基準データとして取得する（ステップ♯１２）。
【００８０】
そして、ステップ♯７又はステップ♯１２までの実行で、白基準と黒基準の取得後、実際に原稿の読み取りが行われ（ステップ♯１３）、シェーディング補正部８は、画素ごとに、イメージセンサ２４の出力値（ディジタルデータ）を各白基準データと各黒基準データの間で規格化しつつ、予め定められた階調数（例えば、白黒２５６階調若しくは、Ｒ、Ｇ、Ｂのそれぞれ２５６階調）で量子化を行い、原稿の画像データが出力される（ステップ♯１４）。そして、全原稿の読取完了まで（ステップ♯１５）、原稿の読み取りとシェーディング補正部８からの画像データの出力が繰り返される（ステップ♯１５のＮｏ→ステップ♯１３）。全原稿読取完了により読取制御は完了し（エンド）、例えば、画像データに基づき印刷が行われ、或いは、記憶部１０ｂに画像データが記憶される。
【００８１】
このように、印画紙モードが選択された場合、本実施形態のシェーディング補正部８は、第１白基準データに対し明るい方向で異なる第２白基準データと、第１黒基準データに対し明るい方向で異なる第２黒基準データと、に基づきシェーディング補正を行う。具体的には、画像読取装置１は、白基準板Ｗ１よりも赤外光を反射する印画紙モード用白基準板Ｗ２と、赤外光を反射する印画紙モード用黒基準板Ｂ２と、を備え、印画紙モードが選択された場合、シェーディング補正部８は、印画紙モード用白基準板Ｗ２読取時のイメージセンサ２４の出力に基づき定まる第２白基準データと、印画紙モード用黒基準板Ｂ２読取時のイメージセンサ２４の出力に基づき定まる第２黒基準データに基づきシェーディング補正を行う。
【００８２】
このようにして、本実施形態の構成によれば、印画紙モードが選択された場合、標準紙等、赤外光の反射の少ない或いはほとんど無い原稿を読み取る印画紙モード以外のモードのときよりも、シェーディング補正での白基準と黒基準を明るい方向で異ならせる。これにより、印画紙の原稿を読み取ると、赤外光の成分によるイメージセンサ２４に蓄積される電荷の増加により、明るく読み取られるという赤外光の影響を軽減、解消する方向に、シェーディング補正での白基準と黒基準を移動させることができる。従って、原稿の再現性が確保される。又、従来のように、赤外光の成分を除去するフィルタやコーティングレンズ２３を設ける必要が無くなり、画像読取装置１の開発、製造コストを削減することができる。
【００８３】
一方で、標準紙、普通紙、ＯＡ用紙等、印画紙に比べ赤外光を反射しない原稿を読み取る場合、赤外光の影響を考慮する必要がない。むしろ、印画紙モード以外のモードで、第２白基準データと第２黒基準データでシェーディング補正が行われると、画像データやその印刷物が原稿に比べ暗くなる場合がある。しかし、この構成によれば、印画紙モード以外のモードでは、第１白基準データと第１黒基準データに基づきシェーディング補正が行われ、印画紙以外の原稿を読み取った際の再現性も確保される。従って、原稿の用紙を問わず、適切なシェーディング補正を行うことができる。
【００８４】
又、イメージセンサ２４で読み取ると、第１白基準データや第１黒基準データよりも明るい白基準データ、黒基準データが得られる印画紙モード用白基準板Ｗ２と印画紙モード用黒基準板Ｂ２を備える。これにより、印画紙モード選択時、印画紙モード用白基準板Ｗ２と印画紙モード用黒基準板Ｂ２を読み取り第２白基準データ、第２黒基準データを得ることができる。従って、印画紙の原稿の読み取りでの赤外光の成分による影響を軽減、解消することができる。又、印画紙モード用白基準板Ｗ２と印画紙モード用黒基準板Ｂ２は、例えば、樹脂製や紙製のものでよく、高精度、高性能なフィルタやコーティングレンズ２３に比べ、画像読取装置１の製造コストは抑えられる。
【００８５】
又、印画紙モード用白基準板Ｗ２と印画紙モード用黒基準板Ｂ２は印画紙で構成できるので安価とでき、画像読取装置１の開発、製造に要するコストを低減することができる。又、印画紙等、原稿の用紙が赤外光をよく反射しても、赤外光の影響が軽減、解消された画像データに基づき印刷を行うことができる。従って、原稿の用紙の種類を問わずに再現性の高い画像形成装置を提供することができる。又、画像読取装置１の開発、製造コストが抑えられるので、画像形成装置の開発、製造コストも低く抑えることができる。
【００８６】
（第２の実施形態）
次に、図８〜９に基づき、本発明の第２の実施形態を説明する。図８は、本発明の第２の実施形態に係るシェーディング板２９ａの一例を示す平面図である。図９は、本発明の第２の実施形態に係る原稿の読取制御の一例を示すフローチャートである。
【００８７】
ここで、第２の実施形態は、印画紙モード以外のモードでの原稿読取時、黒基準板Ｂ１を用いてシェーディング補正における第１黒基準データを取得する点で異なる（第１の実施形態では、印画紙モード以外のモードでは原稿読取時、ランプ２５を消灯して黒基準を取得）。即ち、本実施形態では、印画紙モードで読み取ろうとする原稿よりも赤外光を反射しない黒基準板Ｂ１が設けられる。しかし、その他の点では、特に説明する場合を除き、画像読取装置１や複写機１００の構成は同様である。そこで、以下の説明では、共通する部分については、第１の実施形態での説明を準用できるので説明、図示を特に説明する場合を除き省略し、相違点について説明する。
【００８８】
まず、本実施形態でのシェーディング板２９ａの一例を図８に示す。尚、画像読取装置１の構成やシェーディング板２９ａの設置位置等は、第１の実施形態と同様でよい。そして、第２の実施形態では、図８の上方からみて、印画紙モード用白基準板Ｗ２、白基準板Ｗ１、印画紙モード用黒基準板Ｂ２、黒基準板Ｂ１の計４枚の基準板が組み合わされたものがシェーディング板２９ａとなる。
【００８９】
尚、白基準板Ｗ１は、透過、吸収等によりほとんど赤外光を反射せず、印画紙よりも赤外光を反射しないものとする。一方、印画紙モード用白基準板Ｗ２は印画紙と同程度に赤外光を反射し、白基準板Ｗ１よりも赤外光を反射する。この点、第１の実施形態と第２の実施形態で差はない。一方、透過、吸収等により黒基準板Ｂ１は、ほとんど赤外光を反射せず、印画紙よりも赤外光を反射しないものとする。一方、印画紙モード用黒基準板Ｂ２は印画紙と同程度に赤外光を反射し、黒基準板Ｂ１よりも赤外光を反射する。
【００９０】
図９に基づき、本発明の第２の実施形態に係る複写機１００での原稿の読取制御の一例を説明しておく。尚、本説明でも、第１の実施形態と同様、コピー等の原稿の読取時、印画紙モード以外のモードと印画紙モードのいずれかが操作パネル７でセットされる例を説明する。
【００９１】
ここで、図９において、ステップ♯２１〜ステップ♯３０及びステップ♯３２〜ステップ♯３５は、図７のステップ♯１〜ステップ♯１０及びステップ♯１２〜ステップ♯１５と同様である。そのため、ステップ♯２１〜ステップ♯３０及びステップ♯３２〜ステップ♯３５の説明は、図７におけるステップ♯１〜ステップ♯１０及びステップ♯１２〜ステップ♯１５の説明を援用するものとして割愛する。
【００９２】
実際に第２の実施形態と第１の実施形態の相違は、ステップ♯３１部分のみである。第１の実施形態では、印画紙モード以外のモードでは、シェーディング補正部８は、ランプ２５消灯時のイメージセンサ２４の各画素のディジタルデータ値（出力値）を第１黒基準データとして取得し、黒基準を定めていた（図８のステップ♯１１）。これに対し、第２の実施形態では、シェーディング補正部８は、黒基準板Ｂ１を読み取った際のイメージセンサ２４の出力のディジタルデータ値（出力値）に基づき第１黒基準データを取得し黒基準を定める。
【００９３】
このようにして、本実施形態の複合機や画像読取装置１によれば、第１黒基準データをランプ２５消灯ではなく、黒基準板Ｂ１の読み取りにより取得する画像読取装置１でも、第１の実施形態と同様の作用、効果を得ることができる。
【００９４】
（第３の実施形態）
次に、図１０及び図１１に基づき、本発明の第３の実施形態を説明する。図１０は、本発明の第３の実施形態に係るシェーディング板２９ａの一例を示す平面図である。図１１は本発明の第３の実施形態に係る原稿の読取制御の一例を示すフローチャートである。
【００９５】
ここで、第３の実施形態は、印画紙モードでは、印画紙モード以外のモードでの第１白基準データ及び第１黒基準データに対し補正を行って、第２白基準データと第２黒基準データを生成、取得し、シェーディング補正部８がシェーディング補正を行う点で異なる。しかし、その他の点では、特に説明する点を除き、画像読取装置１や複写機１００の構成は同様である。そこで、以下の説明では、共通する部分については、第１の実施形態、第２の実施形態の説明を準用できるので説明、図示を特に説明する場合を除き省略し、相違点について説明する。
【００９６】
そして、第３の実施形態の説明では、補正の対象となる第１黒基準データは、第１の実施形態に示したランプ２５消灯時のイメージセンサ２４の各画素のディジタルデータ値（出力値）に基づいても、第２の実施形態で示した黒基準板Ｂ１を読み取った際のイメージセンサ２４の各画素のディジタルデータ値（出力値）に基づいてもよい。そこで、第３の実施形態の説明では、第１黒基準データをランプ２５消灯により取得する場合と、黒基準板Ｂ１を読み取って取得する場合の両方の場合を含めて説明する。
【００９７】
まず、本実施形態でのシェーディング板２９ａの一例を図１０に示す。尚、画像読取装置１の構成やシェーディング板２９ａの設置位置等は、第１の実施形態と同様でよい。そして、ランプ２５の消灯時のイメージセンサ２４の各画素のディジタルデータ（出力値）に基づき、第１黒基準データが取得される構成の場合（第１の実施形態に対応）、図１０（ａ）のシェーディング板２９ａが設けられる。図１０（ａ）に示すように、この場合は、赤外光をほとんど反射せず、読み取ろうとする印画紙よりも赤外光の反射しない白基準板Ｗ１のみが設けられる。即ち、本実施形態では、第１の実施形態では設けられていた印画紙モード用白基準板Ｗ２や印画紙モード用黒基準板Ｂ２が設けられない。
【００９８】
一方、黒基準板Ｂ１を読み取った際のイメージセンサ２４の各画素のディジタルデータ（出力値）に基づき第１黒基準データが取得される場合（第２の実施形態に対応）、図１０（ｂ）のシェーディング板２９ａが設けられる。図１０（ｂ）に示すように、この場合は、赤外光をほとんど反射せず、読み取ろうとする印画紙よりも赤外光の反射しない白基準板Ｗ１と黒基準板Ｂ１が設けられる。即ち、本実施形態では、第２の実施形態では設けられていた印画紙モード用白基準板Ｗ２と印画紙モード用黒基準板Ｂ２が設けられない。
【００９９】
第３の実施形態では、印画紙モード用の各基準板が無い代わりに、白基準差分データと黒基準差分データが例えば、記憶部１０ｂ等に予め記憶される。尚、白基準差分データと黒基準差分データは、例えば、制御部１０の記憶部１０ｂ、画像読取装置１内の読取制御部２０内の記憶部２０１に記憶させても良いし、シェーディング補正部８に接続されデータ保存用の記憶部８１（図５参照）等に記憶させておいてもよい。
【０１００】
白基準差分データは、図６におけるΔＷに相当するデータであって、各画素ごとの印画紙モード以外のモードにおける第１白基準データと、印画紙モードの第２白基準データの差分を示すデータである。例えば、印画紙モード用白基準板Ｗ２を読み取った際のイメージセンサ２４の各画素のディジタルデータ値（出力値）と、白基準板Ｗ１を読み取った時のイメージセンサ２４の各画素のディジタルデータ（出力値）との差分を取り、白基準差分データが求められる。尚、白基準差分データ生成のための印画紙モード用白基準板Ｗ２は、白基準板Ｗ１よりも赤外光を反射するもので、第１の実施形態や第２の実施形態の印画紙モード用白基準板Ｗ２と同程度赤外光を反射するものでよい。
【０１０１】
一方、黒基準差分データは、図６におけるΔＢｋに相当するデータであって、各画素ごとの印画紙モード以外のモードにおける第１黒基準データと、印画紙モードの第２黒基準データの差分を示すデータである。例えば、印画紙モード用黒基準板Ｂ２を読み取った際のイメージセンサ２４の各画素のディジタルデータ値（出力値）と、ランプ２５消灯時或いは黒基準板Ｂ１を読み取った時のイメージセンサ２４の各画素のディジタルデータ（出力値）との差分を取り、黒基準差分データが求められる。尚、黒基準差分データ生成のための印画紙モード用黒基準板Ｂ２は、黒基準板Ｂ１よりも赤外光を反射するもので、第１の実施形態や第２の実施形態の印画紙モード用黒基準板Ｂ２と同程度赤外光を反射するものでよい。
【０１０２】
即ち、本実施形態では、制御部１０や読取制御部２０やシェーディング補正部８に設けられる記憶部１０ｂに、第１白基準データと、白基準板Ｗ１よりも赤外光を反射する印画紙モード用白基準板Ｗ２をイメージセンサ２４で読み取ることで取得された白基準データとの差分を示す白基準差分データと、第１黒基準データと、赤外光を反射し、第１黒基準データよりも明るい黒基準データが得られる印画紙モード用黒基準板Ｂ２を読み取ることで取得された黒基準データとの差分を示す黒基準差分データと、が予め記憶される。
【０１０３】
次に、図１１に基づき、本発明の第３の実施形態に係る複写機１００での原稿の読取制御の一例を説明しておく。尚、本説明でも、第１、第２の実施形態と同様、コピー等の原稿の読取時、印画紙モード以外のモードと印画紙モードのいずれかが操作パネル７でセットされる例を説明する。
【０１０４】
操作パネル７のスタートキー７１押下等で、コピーやスキャン等での原稿の読取開始が指示されると（スタート）、制御部１０から連絡を受けた読取制御部２０は、白基準板Ｗ１の読み取りを行わせる（ステップ♯４１）。そして、シェーディング補正部８は、イメージセンサ２４の出力に基づく各画素のディジタルデータを第１白基準データとして取得する（ステップ♯４２）。更に、読取制御部２０は、ランプ２５を消灯又は黒基準板Ｂ１の読み取りを行わせる（ステップ♯４３）。そして、シェーディング補正部８は、ランプ２５消灯時又は黒基準板Ｂ１読取時のイメージセンサ２４の出力に基づく各画素のディジタルデータを第１黒基準データとして取得する（ステップ♯４４）。尚、ステップ♯４１〜４４は、第１実施形態でのステップ♯９〜♯１２と同様の動作である（図７参照）。
【０１０５】
次に、制御部１０は、操作パネル７になされた入力を確認する等により、読み取りで選択されたモードを把握する（ステップ♯４５）。次に、制御部１０は、選択されたモードが印画紙モードであるかを確認する（ステップ♯４６）。もし、印画紙モードであれば（ステップ♯４６のＹｅｓ）、第１白基準データの補正が行われ、第２白基準データが生成される（ステップ♯４７）。例えば、シェーディング補正部８が、いずれかの記憶部から白基準差分データの転送を受け、第１白基準データに白基準差分データを加え、白基準のレベルを上げる補正演算を行う。尚、補正は、読取制御部２０や制御部１０等が演算を行い、補正後に得られた第２白基準データがシェーディング補正部８に渡されてもよい。
【０１０６】
次に、第１黒基準データの補正が行われ、第２黒基準データデータが生成される（ステップ♯４８）。例えば、シェーディング補正部８が、いずれかの記憶部から黒基準差分データの転送を受け、第１黒基準データに黒基準差分データを加え、黒基準のレベルを上げる補正演算を行う。尚、補正は、読取制御部２０や制御部１０等が演算を行い、補正後の黒基準データをシェーディング補正部８に渡すようにしても良い。
【０１０７】
その後、実際の原稿の読み取りが開始される（ステップ♯４９）。尚、図１１におけるステップ♯４９〜ステップ♯５１は、第１の実施形態でのステップ♯１３〜１５（図７参照）、第２の実施形態でのステップ♯３３〜ステップ♯３５（図９参照）と同様なので、詳細な説明を省略する。一方、選択されたモードが印画紙モードで無ければ（ステップ♯４６のＮｏ）、第１白基準データ、第１黒基準データの補正を行うことなく、ステップ♯４９に移行する。
【０１０８】
このように、本実施形態では、印画紙モードが選択された場合、シェーディング補正部８は、第１白基準データを明るくする方向に補正することで得られた第２白基準データと、第１黒基準データを明るくする方向に補正することで得られた第２黒基準データに基づきシェーディング補正を行う。具体的には、印画紙モードが選択された場合、シェーディング補正部８は、第１白基準データに白基準差分データを加える補正により得られた第２白基準データと、第１黒基準データに黒基準差分データを加える補正により得られた第２黒基準データに基づきシェーディング補正を行う。
【０１０９】
このようにして、第１白基準データと第１黒基準データを明るくなる（白くなる）方向に補正して、印画紙モード用の第２白基準データと第２黒基準データが得られる。従って、第１、第２の実施形態と同様、印画紙の原稿の読み取りでの赤外光の成分による影響を軽減、解消することができる。又、補正の演算で求めることができるから、印画紙モード用の白基準板Ｗ１や黒基準板Ｂ１を設ける必要や、高精度、高性能なフィルタやコーティングレンズが必要無く、画像読取装置１の開発、製造コストは抑えられる。
【０１１０】
又、例えば、印画紙での読み取りでの赤外光の影響を加味するため、白基準差分データと黒基準差分データが用意される。これにより、印画紙モード以外で使用される第１白基準データと第１黒基準データに対し、白基準差分データと黒基準差分データで補正し、第２白基準データと第２黒基準データを得ることができる。従って、印画紙の原稿の読み取りでの赤外光の成分による影響を軽減、解消することができる。又、印画紙モード用の白基準板Ｗ１や黒基準板Ｂ１を設ける必要や、高精度、高性能なフィルタやコーティングレンズが必要無く、画像読取装置１の製造コストは抑えられる。尚、白基準差分データ、黒基準差分データを予め用意して補正する例を示したが、補正は、例えば、第１白基準データや第１黒基準データに係数を乗じる等、他の補正によって、第２白基準データ、第２黒基準データが生成されてもよい。
【産業上の利用可能性】
【０１１１】
本発明は、シェーディング補正を行う画像読取装置や、この画像読取装置を備えた画像形成装置に利用可能である。
【符号の説明】
【０１１２】
１    画像読取装置                    ２    画像読取部
２４  イメージセンサ                  ２５  ランプ（光源）
７    操作パネル（入力部）            ８    シェーディング補正部
１０ｂ、２０１、８１  記憶部          １００  複写機（画像形成装置）
Ｗ１  白基準板                        Ｗ２  印画紙モード用白基準板
Ｂ１  黒基準板                        Ｂ２  印画紙モード用黒基準板
【図１】
2011010029.tif 000003
【図２】
2011010029.tif 000004
【図３】
2011010029.tif 000005
【図４】
2011010029.tif 000006
【図５】
2011010029.tif 000007
【図６】
2011010029.tif 000008
【図７】
2011010029.tif 000009
【図８】
2011010029.tif 000010
【図９】
2011010029.tif 000011
【図１０】
2011010029.tif 000012
【図１１】
2011010029.tif 000013